(57)【要約】      （修正有）【課題】ピアノ又はその演奏に関連するツールを置くためのスペースとして、本持左右板を有効に利用することができるグランド型ピアノの譜面台組立品を提供する。【解決手段】グランド型ピアノの譜面台組立品は、左右方向に延びる本持桿と、本持桿の左右の端部に連結された本持左右板と、本持桿に回動自在に取り付けられた譜面台本体と、を備える。本持左右板は、本持桿に一体に連結された水平なベース板と、ベース板に着脱自在又は開閉自在に取り付けられたカバー板を有する。特に、着脱式のカバー板３４ｂの上面には、カード式のメトロノームＭの取付部３５が設けられ、開閉式のカバー板の内面には、メトロノームＭが取り付けられ、ベース板には、筆記用具などを収納するための収納凹部が設けられている。【選択図】図４
2014066828.tif 000002
【特許請求の範囲】
【請求項１】
左右方向に延びる本持桿と、
当該本持桿の左右の端部にそれぞれ連結された本持左右板と、
前記本持桿に回動自在に取り付けられた譜面台本体と、を備え、
前記本持左右板は、前記本持桿に一体に連結された水平なベース板と、当該ベース板に着脱自在又は開閉自在に取り付けられたカバー板を有することを特徴とするグランド型ピアノの譜面台組立品。
【請求項２】
前記カバー板は、前記ベース板を覆うように着脱自在に取り付けられ、前記カバー板の上面には、ピアノに関連するツールを取り付けるための取付部が設けられていることを特徴とする、請求項１に記載のグランド型ピアノの譜面台組立品。
【請求項３】
前記カバー板は、前記ベース板の後端部に回動自在に取り付けられ、当該ベース板を開閉するように構成されており、開放された状態で前方に向けられる前記カバー板の面に、ピアノに関連するツールが取り付けられていることを特徴とする、請求項１に記載のグランド型ピアノの譜面台組立品。
【請求項４】
前記ピアノに関連するツールがカード式のメトロノームであることを特徴とする、請求項２又は３に記載のグランド型ピアノの譜面台組立品。
【請求項５】
前記ベース板の上面に、ピアノに関連する他のツールを収納するための収納凹部が形成されていることを特徴とする、請求項２ないし４のいずれかに記載のグランド型ピアノの譜面台組立品。
【請求項６】
前記カバー板は、前記ベース板を覆うように着脱自在に取り付けられるとともに、前記ベース板と異なる意匠が施されていることを特徴とする、請求項１に記載のグランド型ピアノの譜面台組立品。
【発明の詳細な説明】
【技術分野】
【０００１】
本発明は、譜面を立て掛けるのに用いられるグランド型ピアノの譜面台組立品に関する。
【背景技術】
【０００２】
従来のグランドピアノの譜面台組立品として、例えば特許文献１に開示されたものが知られている。この譜面台組立品は、左右一対の本持左右板と、本持左右板の間に連結された前後の本持桿と、下端部が前側の本体桿に回動自在に取り付けられた、折りたたみ自在の譜面台本体などを備えている。
【０００３】
本持左右板はそれぞれ、合板などから成る水平な１枚の板で構成され、ピアノ本体の上面の前部に設けられた側左右板に載せられており、それにより、譜面台組立品は、側左右板に沿って前後方向にスライド自在になっている。また、黒塗りピアノの場合、その意匠性を統一するために、譜面台組立品の全体には、ピアノ本体の外装と同様の黒塗り塗装が施されている。
【先行技術文献】
【特許文献】
【０００４】
【特許文献１】特開２０００−１８１４４２号公報
【発明の概要】
【発明が解決しようとする課題】
【０００５】
グランドピアノの場合、特に大屋根を開いた状態では、アップライトピアノと異なり、演奏者が位置するピアノの前部付近に、平らなスペースがほとんど存在しない。このため、ピアノ又はその演奏に関連するツール、例えばメトロノームや、譜面台本体に立て掛けた譜面へのメモのための筆記用具を使用する場合、それらの置き場所に不自由することがある。
【０００６】
一方、前述した譜面台組立品の本持左右板は、演奏者に比較的近い位置に水平に配置されているため、この本持左右板を上記のようなツールの置き場所として使用することが考えられる。しかし、本持左右板は単純な１枚の水平な板で構成されているため、例えば筆記用具を置いた場合には、筆記用具が転がり、本持左右板から落下するおそれがある。また、カード式のメトロノームを本持左右板に平置きした場合には、メトロノームの表示部が上方に向くため、それをうまく見ることができないという不具合がある。
【０００７】
本発明は、このような課題を解決するためになされたものであり、ピアノ又はその演奏に関連するツールを置くためのスペースなどとして、本持左右板を有効に利用することができるグランド型ピアノの譜面台組立品を提供することを目的とする。
【課題を解決するための手段】
【０００８】
この目的を達成するために、本発明のグランド型ピアノの譜面台組立品は、左右方向に延びる本持桿と、本持桿の左右の端部にそれぞれ連結された本持左右板と、本持桿に回動自在に取り付けられた譜面台本体と、を備え、本持左右板は、本持桿に一体に連結された水平なベース板と、ベース板に着脱自在又は開閉自在に取り付けられたカバー板を有することを特徴とする。
【０００９】
本発明によれば、譜面台組立品の本持左右板が、本持桿に一体に連結された水平なベース板と、カバー板を有しており、このカバー板は、ベース板に対して着脱自在又は開閉自在に構成されている。このため、カバー板をベース板と異なる構成や外観とすることが可能であり、それにより、譜面台本体を、ピアノ又はその演奏に関連するツール（以下、単に「ツール」という）を置くためのスペースなどとして、有効に利用することが可能になる。
【００１０】
請求項２に係る発明は、請求項１に記載のグランド型ピアノの譜面台組立品において、カバー板は、ベース板を覆うように着脱自在に取り付けられ、カバー板の上面には、ピアノに関連するツールを取り付けるための取付部が設けられていることを特徴とする。
【００１１】
この構成によれば、ベース板にカバー板を取り付けた状態で、カバー板の上面の取付部にツールを取り付けることができ、本持左右板を、ツールを置くためのスペースとして有効に利用することができる。
【００１２】
請求項３に係る発明は、請求項１に記載のグランド型ピアノの譜面台組立品において、カバー板は、ベース板の後端部に回動自在に取り付けられ、ベース板を開閉するように構成されており、開放された状態で前方に向けられるカバー板の面に、ピアノに関連するツールが取り付けられていることを特徴とする。
【００１３】
この構成によれば、カバー板は、ベース板を開閉するように回動自在に取り付けられており、カバー板の内面（開放された状態で前方に向けられる面）にはツールがあらかじめ取り付けられている。したがって、カバー板を開放すると、その内面に取り付けられたツールが現れるので、その状態でツールを便利に使用することができる。また、カバー板の閉鎖状態では、ツールはカバー板で覆い隠されるので、譜面台組立品の外観は良好に保たれる。
【００１４】
請求項４に係る発明は、請求項２又は３に記載のグランド型ピアノの譜面台組立品において、ピアノに関連するツールがカード式のメトロノームであることを特徴とする。
【００１５】
この構成によれば、ツールは、ピアノの演奏時に使用されるカード式のメトロノームである。したがって、カバー板が着脱式の場合には、その取付部にメトロノームを取り付けることによって、カバー板が開閉式の場合には、その内面にメトロノームをあらかじめ取り付けることによって、カード式のメトロノームを安定した状態で、良好に使用することができる。
【００１６】
請求項５に係る発明は、請求項２ないし４のいずれかに記載のグランド型ピアノの譜面台組立品において、ベース板の上面に、ピアノに関連する他のツールを収納するための収納凹部が形成されていることを特徴とする。
【００１７】
この構成によれば、ベース板の上面に形成された収納凹部に、他のツール、例えば筆記用具や折りたたんだ清掃用の布などを収納できる。したがって、カバー板を取り外した状態又は開放した状態で、収納凹部からツールを取り出し、便利に使用することができる。この場合にも、カバー板を取り付けた又は閉鎖した状態では、収納されたツールはカバー板で覆い隠されるので、譜面台組立品の外観は良好に保たれる。
【００１８】
請求項６に係る発明は、請求項１に記載のグランド型ピアノの譜面台組立品において、カバー板は、ベース板を覆うように着脱自在に取り付けられるとともに、ベース板と異なる意匠が施されていることを特徴とする。
【００１９】
この構成によれば、カバー板の意匠がベース板と異なることによって、単調になりがちな譜面台組立品のデザインにアクセントや変化を与えることができる。また、カバー板はベース板に対して着脱自在であるので、複数の種類の意匠のカバー板を用意し、その中から適当なものを選択することによって、ピアノが置かれた部屋や会場の雰囲気に合わせたコーディネートを容易に行うことができる。
【図面の簡単な説明】
【００２０】
【図１】本発明を適用した譜面台組立品を備えるグランドピアノの外観を示す斜視図である。
【図２】譜面台組立品を後方から見た斜視図である。
【図３】第１実施形態による譜面台組立品の本持左右板を（ａ）分解した状態、及び（ｂ）組み立てた状態で示す斜視図である。
【図４】第２実施形態による譜面台組立品の本持左右板のカバー板を、カード式のメトロノームの（ａ）取付け前の状態、及び（ｂ）取付け後の状態で示す斜視図である。
【図５】第３実施形態による譜面台組立品の本持左右板を示す斜視図である。
【発明を実施するための形態】
【００２１】
以下、本発明の好ましい実施形態を、図面を参照しながら、詳細に説明する。図１に示すように、グランドピアノ１（以下、適宜「ピアノ１」という）は、鍵盤２、フレーム３やそれらを取り囲む側板４などを有するピアノ本体５と、ピアノ本体５を支持する３本の脚６と、ペダル装置７などを備えている。本発明に係る譜面台組立品１１は、後述する本持左右板１４、１４や譜面台本体１７などを組み立てたものであり、ピアノ本体５の上面の前部に配置され、大屋根８を開いた状態で用いられる。
【００２２】
図２に示すように、譜面台組立品１１は、左右方向に延びる前後の本持桿１２、１３と、本持桿１２、１３の左右の端部にそれぞれ連結された左右一対の本持左右板１４、１４と、本持桿１２、１３の間に連結された左右の本持元木１５、１５とを備えており、各本持元木５の後部には、複数の係止溝１６が前後方向に並んで形成されている。
【００２３】
譜面台本体１７は、合板などで構成され、その下端部が３つの蝶番１８を介して、前本持桿１２の背面に回動自在に取り付けられている。譜面台本体１７の裏面には、鳥居１９が取り付けられている。この鳥居１９は、逆門形のものであり、上端部が譜面台本体１７に回動自在に取り付けられた左右の脚２０、２０と、これらの脚２０、２０の下端部間に連結された横材２１で構成されている。
【００２４】
各本持左右板１５の外側面の下部には、前後方向に連続する切欠２２が形成され、本持左右板１５、１５は、この切欠２２を介して側左右板２３、２３に載せられており、それにより、譜面台組立品１１は、側左右板２３、２３に沿って前後方向にスライド自在になっている。
【００２５】
また、ピアノ１は黒塗りピアノであり、上述した側板４や譜面台組立品１１の構成部品には、黒塗り塗装が施されている。
【００２６】
ピアノ１の演奏時、譜面を用いる場合には、図２に示すように、譜面台本体１７を前方に起こし、鳥居１９を下方に回動させ、その横材２１を各本持元木１５の１つの係止溝１６に係止させる。これにより、譜面台本体１７が、係止した係止溝１６に応じた斜めの角度に保持され、その状態で譜面（図示せず）が立て掛けられる。また、ピアノの演奏後、上記と逆の操作を行うことにより、譜面台本体１７は折りたたまれる。
【００２７】
次に、図３を参照しながら、本持左右板１４の構成を詳細に説明する。同図に示す左側の本持左右板１４は、前後の本持桿１２、１３の左端部に一体に連結された水平なベース板１４ａと、ベース板１４ａに着脱自在に取り付けられたカバー板１４ｂで構成されている。
【００２８】
ベース板１４ａは、前側の２つの角部にＲを付けた矩形状のものであり、黒塗り塗装された合板などで構成されている。ベース板１４ａの上面には、その周縁部１４ｃを残して、矩形状の収納凹部３１が形成されており、この収納凹部３１には、ピアノ１又はその演奏に関連する適当なツール、例えば、同図に示すような鉛筆などの筆記用具Ｐや、折りたたんだ清掃用の布（図示せず）などが適宜、収納される。また、周縁部１４ｃの四隅にはそれぞれ、カバー１４ｂの着脱用の丸穴１４ｄが形成されている。
【００２９】
一方、カバー板１４ｂは、ベース板１４ａと同じサイズ及び形状を有する矩形状のものであり、透明な塗装を施した無垢の木材で構成されている。カバー板１４ｂの下面の四隅には、ベース板１４ａの丸穴１４ｄに対応する位置に、ピン１４ｅが設けられている。
【００３０】
以上の構成により、カバー板１４ｂは、そのピン１４ｅをベース板１４ａの丸穴１４ｄにそれぞれはめ込むことによって、ベース板１４ａに着脱自在に取り付けられる。同図（ｂ）に示すように、カバー板１４ｂを取り付けた状態では、カバー板１４ｂは、ベース板１４ａをぴったりと覆う。また、譜面台組立品１１のカバー板１４ｂ以外の部分が黒塗り塗装されているのに対し、無垢の木材で構成されたカバー板１４ｂの表面には木目模様が現れるため、譜面台組立品１１のデザインにアクセントが与えられる。
【００３１】
以上のように、カバー板１４ｂの意匠がベース板１４ａと異なることによって、単調になりがちな譜面台組立品１１のデザインにアクセントや変化を与えることができる。また、カバー板１４ｂはベース板１４ａに対して着脱自在であるので、複数の種類の意匠のカバー板を用意し、その中から適当なものを選択することによって、ピアノ１が置かれた部屋や会場の雰囲気に合わせたコーディネートを容易に行うことができる。
【００３２】
上記のようなカバー板１４ｂの意匠は、自由に設定することができ、本実施形態のような黒塗りピアノの場合には、例えば、各種の無垢の木材や、表面に黒色以外の着色、模様や凹凸を施した木質材又は合成樹脂などを用いることができる。また、木目調ピアノの場合には、他の材種の無垢の木材や、表面に着色や模様などを施した木質材又は合成樹脂などを用いることができる。
【００３３】
また、この本持左右板１４では、カバー板１４ｂを取り外した状態で、収納凹部３１に収納されたツールを取り出し、便利に使用することができる。例えば、筆記用具Ｐは、譜面台本体１７に立て掛けた譜面へのメモや作曲時の採譜などのために、布は、ピアノ１の表面の拭き掃除などに用いられる。なお、カバー板１４ｂを取り付けた状態では、収納されたツールはカバー板１４ｂで覆い隠されるので、譜面台組立品１１の外観は良好に保たれる。
【００３４】
次に、図４を参照しながら、第２実施形態による本持左右板３４について説明する。この本持左右板３４は、上述した第１実施形態の本持左右板１４と比較し、カバー板３４ｂの構成のみが異なっており、図示しないベース板の構成は同じである。
【００３５】
このカバー板３４ｂは、黒塗り塗装された合板や合成樹脂などで構成され、同図（ａ）に示すように、第１実施形態のカバー板１４ｂと同じ平面サイズ及び形状を有するとともに、カバー板１４ｂと同様、着脱用のピン３４ｅを有している。
【００３６】
また、カバー板３４ｂの上面には、メトロノームＭを取り付けるための取付部３５が一体に設けられている。この取付部３５は、カバー板３４ｂの上面の中央付近に左右方向に延びる受け部３５ａと、この受け部３５ａから斜め上方に延びる背もたれ部３５ｂなどで構成されている。同図（ｂ）に示すように、メトロノームＭは周知のカード式のものであり、その表面のパネルには、各種のスイッチや表示部が設けられている。
【００３７】
以上の構成により、メトロノームＭは、その下端部を取付部３５の受け部３５ａに載せ、背面を背もたれ部３５ｂにもたせ掛けた状態で、取付部３５に取り付けられる。これにより、カード式のメトロノームＭを安定した状態で取り付け、使用することができる。
【００３８】
次に、図５を参照しながら、第３実施形態による本持左右板４４について説明する。この本持左右板４４は、第１及び第２実施形態と異なり、ベース板４４ａにカバー板４４ｂを開閉自在に取り付けたものである。
【００３９】
ベース板４４ａの構成は、第１実施形態のベース板１４ａと基本的に同じである。すなわち、ベース板４４ａは、黒塗り塗装された合板などから成る矩形状のものであり、その上面には、鉛筆Ｐなどの筆記用具や清掃用の布などのツールを収納するための矩形状の収納凹部４５が形成されている。また、ベース板４４ａは、本持桿１２、１３の左端部に一体に連結されている。
【００４０】
カバー４４ｂもまた、黒塗り塗装された合板などで構成され、ベース板４４ａと同じサイス及び形状を有している。また、カバー板４４ｂは、ベース板４４ａの後端部に蝶番４６を介して回動自在に取り付けられている。これにより、カバー板４４ｂは、ベース板４４ａに対して直立した開放位置（図５の位置）と、ベース板４４ａに重なり、これを覆う閉鎖位置（図示せず）との間で移動可能であり、それによりベース板４４ａを開閉する。
【００４１】
また、カバー４４ｂの内面（開放時に前方に向けられる面）には、矩形状の取付凹部４７が形成されており、この取付凹部４７に、カード式のメトロノームＭがあらかじめはめ込まれ、取り付けられている。
【００４２】
以上の構成によれば、カバー板４４ｂを開放位置に移動させ、開放すると、その内面に取り付けられたメトロノームＭが現れるので、その状態で、メトロノームＭを便利に使用できるとともに、収納凹部４５から筆記用具Ｐなどのツールを取り出し、使用することができる。また、カバー板４４ｂの閉鎖状態では、メトロノームＭ及び収納凹部４５はカバー板で覆い隠されるので、譜面台組立品１１の外観は良好に保たれる。
【００４３】
なお、本発明は、説明した実施形態に限定されることなく、種々の態様で実施することができる。例えば、実施形態では、ピアノ１又はその演奏に関連するツールとして、カード式のメトロノームＭ、筆記用具Ｐや清掃用の布を例示しているが、これに限らず、取付や収納に適した他のツールでもよいことはもちろんである。また、実施形態では、本発明を左側の本持左右板に適用するものとして説明したが、本発明を右側の本持左右板のみに、あるいは左右両側の本持左右板に適用してもよい。
【００４４】
さらに、実施形態は、本発明をグランドピアノに適用した例であるが、本発明は、適当であれば、他のタイプのピアノ、例えばグランドピアノ型の電子ピアノにも適用することができる。その他、本発明の趣旨の範囲内で、細部の構成を適宜、変更することが可能である。
【符号の説明】
【００４５】
１  グランドピアノ
１１  譜面台組立品
１２  前側の本持桿
１３  後ろ側の本持桿
１４  本持左右板
１４ａ  ベース板
１４ｂ  カバー板
１７  譜面台本体
３１  収納凹部
３４  本持左右板
３４ａ  ベース板
３４ｂ  カバー板
３５  取付部
４４  本持左右板
４４ａ  ベース板
４４ｂ  カバー板
４５  収納凹部
Ｍ  メトロノーム（ツール）
Ｐ  筆記用具（他のツール）
【図１】
2014066828.tif 000003
【図２】
2014066828.tif 000004
【図３】
2014066828.tif 000005
【図４】
2014066828.tif 000006
【図５】
2014066828.tif 000007